【手続補正書】
【提出日】平成18年5月17日(2006.5.17)
【手続補正１】
【補正対象書類名】特許請求の範囲
【補正対象項目名】全文
【補正方法】変更
【補正の内容】
【特許請求の範囲】
【請求項１】
ａ）キャリヤー、及び
ｂ）腐蝕抑制剤としての、少なくとも１種の、式Ｉ
【化１】
2005528484.tif 000001
（式中、
ｎが、１を表わす場合、
Ｒ1は、水素原子、炭素原子数１ないし３２のアルキル基、炭素原子数２ないし３２の
アルケニル基、炭素原子数２ないし３２のアルキニル基、未置換の、又は炭素原子数１ないし４のアルキル基で置換されたフェニル基；炭素原子数７ないし９のフェニルアルキル基、炭素原子数１ないし３２のアルコキシ基、炭素原子数２ないし３２のアルケニルオキシ基、炭素原子数２ないし３２のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化２】
2005528484.tif 000002
を表わし、
ｎが、２を表わす場合、
Ｒ1は、炭素原子数１ないし３２のアルキレン基、酸素原子で中断された炭素原子数２
ないし３２のアルキレン基；炭素原子数５ないし８のシクロアルキレン基又は−Ｒ10−Ｏ−Ｒ12−Ｏ−Ｒ11−を表わし、
ｎが３を表わす場合、
Ｒ1は、炭素原子数１ないし３２のアルカントリイル基、
【化３】
2005528484.tif 000003
を表わし、
ｎが、４を表わす場合、
Ｒ1は、炭素原子数１ないし３２のアルカンテトライル基、
【化４】
2005528484.tif 000004
を表わし、
Ｒ2、Ｒ3及びＲ4は、互いに独立して、炭素原子数１ないし３２のアルキル基、炭素原
子数２ないし３２のアルケニル基、炭素原子数２ないし３２のアルキニル基、未置換の、又は炭素原子数１ないし４のアルキル基で置換されたフェニル基；炭素原子数７ないし９のフェニルアルキル基、炭素原子数７ないし９のフェニルアルコキシ基、炭素原子数１ないし３２のアルコキシ基、炭素原子数２ないし３２のアルケニルオキシ基、炭素原子数２ないし３２のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化５】
2005528484.tif 000005
を表わし；但し、基Ｒ2、Ｒ3又はＲ4の少なくとも１つは、炭素原子数２ないし３２のア
ルキニルオキシ基、
【化６】
2005528484.tif 000006
を表わし、
Ｒ5は、炭素原子数１ないし１８のアルキレン基、酸素原子で中断された炭素原子数２
ないし１８のアルキレン基；炭素原子数２ないし１８のアルケニレン基、
炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ6及びＲ7は、互いに独立して、水素原子又は炭素原子数１ないし１２のアルキル基を表わし、
Ｒ8は、未置換の、又は炭素原子数１ないし４のアルキル基で置換された炭素原子数２
ないし１２のアルキレン基を表わし、
Ｒ9は、炭素原子数１ないし２５のアルキル基、酸素原子で中断された炭素原子数２な
いし２５のアルキル基；炭素原子数７ないし９のフェニルアルキル基、未置換の、又は炭素原子数１ないし４のアルキル基で置換された炭素原子数５ないし８のシクロアルキル基；未置換の、又は炭素原子数１ないし４のアルキル基で置換されたフェニル基を表わし；
Ｒ10及びＲ11は、互いに独立して、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ12は、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基；未置換の、又は炭素原子数１ないし４のアルキル基で置換されたナフチレン基；又は
【化７】
2005528484.tif 000007
を表わし、
Ｒ13、Ｒ14、Ｒ15、Ｒ16、Ｒ17、Ｒ18、Ｒ19、Ｒ20、Ｒ21、Ｒ22、Ｒ23及びＲ24は、互いに独立して、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし；
Ｒ25及びＲ26は、互いに独立して、水素原子、ＣＦ3、炭素原子数１ないし１２のアル
キル基又はフェニル基を表わすか、又は、Ｒ25及びＲ26は、結合している炭素原子と一緒になって、未置換の、又は炭素原子数１ないし４のアルキル基１ないし３個で置換された炭素原子数５ないし８のシクロアルキリデン環を形成し；
Ｒ27、Ｒ28、Ｒ29及びＲ30は、互いに独立して、水素原子又は炭素原子数１ないし８の
アルキル基を表わし、そして
ｎは、１、２、３又は４を表わす。）で表わされる化合物、
からなる組成物。
【請求項２】
成分（ａ）が包装材料である、請求項１記載の組成物。
【請求項３】
成分（ａ）及び（ｂ）に加えて、更なる添加剤を更に含む請求項１記載の組成物。
【請求項４】
式Ｉ
【化８】
2005528484.tif 000008
（式中、
Ｒ1は、炭素原子数１ないし２５のアルキル基、炭素原子数２ないし２５のアルケニル
基、炭素原子数２ないし２５のアルキニル基、未置換の、又は炭素原子数１ないし４のアルキル基で置換されたフェニル基；炭素原子数７ないし９のフェニルアルキル基、未置換の、又は炭素原子数１ないし４のアルキル基で置換された炭素原子数５ないし８のシクロアルキル基；
Ｒ2、Ｒ3及びＲ4は、互いに独立して、
【化９】
2005528484.tif 000009
を表わし；
Ｒ5は、炭素原子数１ないし１８のアルキレン基、酸素原子で中断された炭素原子数２
ないし１８のアルキレン基；炭素原子数２ないし１８のアルケニレン基、
炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ6及びＲ7は、互いに独立して、水素原子又は炭素原子数１ないし８のアルキル基を表わし、
Ｒ8は、未置換の、又は炭素原子数１ないし４のアルキル基で置換された炭素原子数２
ないし１２のアルキレン基を表わし；
Ｒ9は、炭素原子数１ないし２５のアルキル基、酸素原子で中断された炭素原子数２な
いし２５のアルキル基；炭素原子数７ないし９のフェニルアルキル基、未置換の、又は炭素原子数１ないし４のアルキル基で置換された炭素原子数５ないし８のシクロアルキル基；未置換の、又は炭素原子数１ないし４のアルキル基で置換されたフェニル基を表わし；そして
ｎは１を表わす。）で表わされる化合物。